(57)【要約】      （修正有）【課題】より良い振動性能を有するリニア振動モータを提供する。【解決手段】リニア振動モータは、ハウジングと、振動ユニット２と、振動ユニットを懸架する弾性部材３と、振動ユニットを振動するように駆動するための駆動ユニット４とを、備える。振動ユニットは、カウンターウェイトブロック２１と、カウンターウェイトブロック内に固定される永久磁石２２とを備え、カウンターウェイトブロックは、上面２１１と、上面に対向して設置される底面２１２と、上面から底面への方向に貫通して設置される収納溝２１３とを備える。永久磁石２２は、収納溝の対向する両側にそれぞれ位置され、二つの永久磁石の着磁方向は同じである。駆動ユニットは、振動ユニットと間隔をあけて設置され、ハウジングに固定され且つ収納溝内に挿設されるコア４１及びコアに外嵌され且つハウジングに固定されるコイル４２を備え、コアは永久磁石と間隔をあけて振動ギャップを形成する。【選択図】図２
2020022354.tif 000002
【特許請求の範囲】
【請求項１】
収容空間を有するハウジングと、前記収容空間に収納される振動ニュットと、前記振動ニュットを前記収容空間に懸架する弾性部材と、前記ハウジングに固定される、前記振動ニュットを振動するように駆動するための駆動ニュットと、を備えるリニア振動モータであって、
前記振動ユニットは、カウンターウェイトブロックと、前記カウンターウェイトブロック内に固定される永久磁石とを備え、
前記カウンターウェイトブロックは、上面と、前記上面に対向して設置される底面と、前記上面から前記底面への方向に貫通して設置される収納溝とを備え、
前記永久磁石は、少なくとも二つがあり、収納溝の対向する両側にそれぞれ位置され、二つの前記永久磁石の着磁方向は同じであり、
前記駆動ユニットは、前記振動ニュットと間隔をあけて設置され、前記ハウジングに固定され且つ前記収納溝内に挿設されるコア及び前記コアに外嵌され且つ前記ハウジングに固定されるコイルを備え、
前記コアは前記永久磁石と間隔をあけて振動ギャップを形成することを特徴とするリニア振動モータ。
【請求項２】
前記ハウジングはベース及び前記ベースに蓋設され且つ前記収容空間を共同で囲むカバープレートを備え、
前記弾性部材の一端が前記ベースに固定され、他端が前記カウンターウェイトブロックに固定されることを特徴とする請求項１に記載のリニア振動モータ。
【請求項３】
前記コアは前記カバープレートに固定され、前記コイルは前記カバープレートに貼り付けて固定されることを特徴とする請求項２に記載のリニア振動モータ。
【請求項４】
前記コアは本体部及び前記本体部から延伸する延伸部を備え、
前記本体部は前記収納溝内に収容され、前記延伸部は前記ハウジングに固定され、
前記コイルは前記延伸部の本体部から離れた端に外嵌固定されることを特徴とする請求項１に記載のリニア振動モータ。
【請求項５】
前記延伸部の横断面積は前記本体部の横断面積より小さいことを特徴とする請求項４に記載のリニア振動モータ。
【発明の詳細な説明】
【技術分野】
【０００１】
本発明は、モータに関し、特にモバイル電子製品分野に適用されるリニア振動モータに関する。
【背景技術】
【０００２】
電子技術の発展に伴い、ポータブル消費者向け電子製品、例えば携帯電話、パームトップゲーム機、ナビゲーション装置又はパームトップマルチメディアエンターテイメントデバイス等はますます人気が高まっており、これらの電子製品は一般的にリニア振動モータを用いてシステムフィードバック、例えば携帯電話の着信番号表示、情報表示、ナビゲーション表示、ゲーム機の振動フィードバック等を行う。このように広く応用されるためには、振動モータの性能に優れ、耐用年数が長いことが要求される。
【０００３】
従来技術におけるリニア振動モータは、収容空間を有するベースと、前記収容空間に位置する振動ユニットと、前記振動ユニットを前記収容空間に固定・懸架する弾性部材と、前記ベースに固定される駆動ユニットと、を備え、駆動ユニットにおけるコイルにより生じた磁界が振動ユニットにより生じた磁界と相互作用することにより、前記振動ユニットが往復直線運動を駆動することで振動をさせる。
【０００４】
ところが、従来技術におけるリニア振動モータの前記駆動ユニットは、前記ベースに平行して固定設置される一つまたは二つのコイルのみであるため、それらが生じる駆動力は有限であり、前記リニア振動モータの振動性能の向上を制限してしまう。
【０００５】
このため、上記問題を解決するために、新規のリニア振動モータを提供する必要がある。
【発明の概要】
【発明が解決しようとする課題】
【０００６】
本発明が解決しようとする技術問題は、振動性能に優れるリニア振動モータを提供することである。
【課題を解決するための手段】
【０００７】
上記技術問題を解決するために、本発明はリニア振動モータを提供し、収容空間を有するハウジングと、前記収容空間に収納される振動ニュットと、前記振動ニュットを前記収容空間に懸架する弾性部材と、前記ハウジングに固定される、前記振動ニュットを振動するように駆動するための駆動ニュットと、を備え、前記振動ユニットは、カウンターウェイトブロックと、前記カウンターウェイトブロック内に固定される永久磁石とを備え、前記カウンターウェイトブロックは、上面と、前記上面に対向して設置される底面と、前記上面から前記底面への方向に貫通して設置される収納溝とを備え、前記永久磁石は、少なくとも二つがあり、収納溝の対向する両側にそれぞれ位置され、二つの前記永久磁石の着磁方向は同じであり、前記駆動ユニットは、前記振動ニュットと間隔をあけて設置され、前記ハウジングに固定され且つ前記収納溝内に挿設されるコア及び前記コアに外嵌され且つ前記ハウジングに固定されるコイルを備え、前記コアは前記永久磁石と間隔をあけて振動ギャップを形成する。
【０００８】
好ましくは、前記ハウジングはベース及び前記ベースに蓋設され且つ前記収容空間を共同で囲むカバープレートを備え、前記弾性部材の一端が前記ベースに固定され、他端が前記カウンターウェイトブロックに固定される。
【０００９】
好ましくは、前記コアは前記カバープレートに固定され、前記コイルは前記カバープレートに貼り付けて固定される。
【００１０】
好ましくは、前記コアは本体部及び前記本体部から延伸する延伸部を備え、前記本体部は前記収納溝内に収容され、前記延伸部は前記ハウジングに固定され、前記コイルは前記延伸部の本体部から離れた端に外嵌固定される。
【００１１】
好ましくは、前記延伸部の横断面積は前記本体部の横断面積より小さい。
【発明の効果】
【００１２】
従来技術に比べて、本発明に係るリニア振動モータにおいて、前記カウンターウェイトブロックには、収納溝が開設され、二つの永久磁石を設置してカウンターウェイトブロックに固定し且つ前記収納溝の対向する両側に位置させ、且つ二つの永久磁石の着磁方向が同じとする。前記駆動ユニットのコアは一端がハウジングに固定され、他端が収納溝に挿設されて収容される。前記コイルは前記コアに外嵌固定される。コイルが通電された後にコアを磁化させ、且つ二つの永久磁石と相互作用力を形成し、同種の極は反発し、異種の極は引きあう原理で駆動力を発生させる。コイルの電流方向を制御することにより、駆動力の方向を変化させる。これにより振動ユニットをリニア振動させる。この構造の駆動ユニットは、より大きな駆動力を発生する。それにより前記リニア振動モータの振動性能を有効的に向上させる。
【図面の簡単な説明】
【００１３】
本発明における実施例の技術方案をより明確に説明するために、以下で実施例の説明に使用される図面について簡単に説明する。下記の図面は本発明の幾つかの実施例に過ぎないが、進歩性のある労働をせずにこれらの図面に基づいて他の図面を得ることもできることは、当業者にとっては自明なことである。
【図１】本発明に係るリニア振動モータの構造を示す斜面図である。
【図２】本発明に係るリニア振動モータの構造を示す分解斜面図である。
【図３】図１におけるＡ−Ａ線に沿った断面図である。
【発明を実施するための形態】
【００１４】
以下、本発明の実施例における図面を参照しながら、本発明の実施例における技術方案を明確かつ完全に説明する。当然ながら、説明した実施例は、本発明の一部の実施例に過ぎなく、すべての実施例ではない。当業者が本発明の実施例に基づいて進歩性のある労働をしない前提で得られたすべての他の実施例は、いずれも本発明の保護範囲に属する。
【００１５】
図１−２に示すように、図１は本発明に係るリニア振動モータの構造を示す斜面図であり、図２は本発明に係るリニア振動モータの構造を示す分解斜面図である。本発明に係るリニア振動モータ１００は、収容空間１０を有するハウジング１、振動ユニット２、弾性部材３、および駆動ユニット４を備える。
【００１６】
ハウジング１は、ベース１１及びベース１１に蓋設固定されるカバープレート１２を備え、ベース１１とカバープレート１２により、収容空間１０が取り囲まれて形成される。当然ながら、ベース１１とカバープレート１２は、一体構造とされてもよい。
【００１７】
振動ユニット２は、弾性部材３によって収容空間１０内に懸架される。
【００１８】
具体的には、振動ユニット２は、カウンターウェイトブロック２１と、カウンターウェイトブロック２１内に固定される永久磁石２２と、を備える。
【００１９】
カウンターウェイトブロック２１は、上面２１１と、上面２１１に対向して設置される底面２１２と、上面２１１から底面２１２への方向に貫通して設置される収納溝２１３とを備える。
【００２０】
カウンターウェイトブロック２１は、永久磁石２２を固定することに用いられる一方で、振動ユニット２の重量を増加させることで、その振動振幅を増大させ、リニア振動モータ１００の振動効果を向上させることに用いられる。
【００２１】
永久磁石２２は、少なくとも二つがあり、収納溝２１３の対向する両側にそれぞれ位置される。本実施形態において、二つの永久磁石２２は、リニア振動モータ１００の長軸方向（振動方向）に沿って収納溝２１３の対向する両側にそれぞれ設置される。より好ましくは、二つの永久磁石２２の着磁方向は同じである。
【００２２】
より好ましくは、振動ユニット２は収納溝２１３に関して対称に設置され、それにより振動ユニット２の構造上の対称及び質量分布の均一化を実現し、さらに、振動ユニット２が振動する時に安定性がより高く、捩れ現象が発生することを回避する。
【００２３】
弾性部材３は、振動ユニット２を収容空間１０内に懸架することに用いられる。本実施形態において、弾性部材３は、一端がカウンターウェイトブロック２１に固定され、他端がハウジング１のベース１１に固定され、前記振動ユニットに支持及び振動回復力を提供する。
【００２４】
図３に示すように、図３は図１におけるＡ−Ａ線に沿った断面図である。駆動ユニット４はハウジング１に固定され、例えば、カバープレート１２に固定され、振動ユニット２と間隔をあけて設置され、振動ユニット２が振動するように駆動することに用いられる。駆動ユニット４は、ハウジング１に固定され且つ収納溝２１３内に挿設されるコア４１及びコア４１に外嵌され且つハウジング１に固定されるコイル４２を備え、前記コア４１は永久磁石２２と間隔をあけて振動ギャップを形成する。
【００２５】
コイル４２が通電された後にコア４１を磁化させ、且つ二つの永久磁石２２と相互作用力を形成し、同種の極は反発し、異種の極は引きあう原理で駆動力を発生させる。コイル４２の電流方向を制御することにより、駆動力の方向を変化させる。これにより振動ユニット２をリニア振動させる。
【００２６】
図３に示す永久磁石２２の着磁方向であって、コイル４２が通電された後、「ｘ」は電流が下向きに流れることを示し、「・」は電流が上向きに流れることを示す。コア４１は磁化されて、収納溝２１３に位置している部分がＮ極であり、カバープレート１２に近寄る端がＳ極であり、永久磁石２２と相互作用力を形成し、同種の極は反発し、異種の極は引きあい、図３における左方向への駆動力が発生する。通電が逆の場合には、右方向への駆動力が発生する。これによって振動ユニット２のリニア振動を実現する。
【００２７】
本実施形態において、コア４１はカバープレート１２に固定され、コイル４２はカバープレート１２に貼り付けられて固定される。
【００２８】
具体的には、コア４１は本体部４１１及び本体部４１１から延伸する延伸部４１２を備える。
【００２９】
本体部４１１は収納溝２１３内に収容され、延伸部４１２はハウジング１に固定され、具体的にはカバープレート１２に固定される。
【００３０】
コイル４２は延伸部４１２の本体部４１１から離れた端に外嵌され、同時にコイル４２はカバープレート１２に貼り付けられて固定される。
【００３１】
より好ましくは、延伸部４１２の横断面積は本体部４１１の横断面積より小さく、当該構造は磁力線をより集中させることができ、利用がより十分になるので、より大きな駆動力が発生することができる。
【００３２】
従来技術に比べて、本発明に係るリニア振動モータにおいて、前記カウンターウェイトブロックには、収納溝が開設され、二つの永久磁石を設置してカウンターウェイトブロックに固定し且つ前記収納溝の対向する両側に位置させ、且つ二つの永久磁石の着磁方向が同じとする。前記駆動ユニットのコアは一端がハウジングに固定され、他端が収納溝に挿設されて収容される。前記コイルは前記コアに外嵌固定される。コイルが通電された後にコアを磁化させ、且つ二つの永久磁石と相互作用力を形成し、同種の極は反発し、異種の極は引きあう原理で駆動力を発生させる。コイルの電流方向を制御することにより、駆動力の方向を変化させる。これにより振動ユニットをリニア振動させる。この構造の駆動ユニットは、より大きな駆動力を発生する。それにより前記リニア振動モータの振動性能を有効的に向上させる。
【００３３】
以上の説明は、本発明の実施例に過ぎなく、本発明の保護範囲を制限するためのものではなく、本発明の明細書及び図面の内容に基づいて行った等価構造又は等価プロセス変換、又は他の関連する技術分野への直接又は間接的応用は、すべて同様に本発明の特許保護範囲内に含まれる。
【図１】
2020022354.tif 000003
【図２】
2020022354.tif 000004
【図３】
2020022354.tif 000005